(57)【要約】【課題】  一日のうちに何回でも、短い時間単位で所望の時刻に合わせて通電状態をＯＮとＯＦＦとに設定することができ、かつ、指にて容易かつ確実に時刻を設定できるタイマー付きコンセントを提供することを目的とする。【解決手段】  ケーシング１の後面に差込プラグを有し、かつ、前面12側に、通電する時刻を制御するＯＮ−ＯＦＦ時刻制御部材２が配設される。制御部材２は、コンセント差込孔30を有する円盤部３と、円盤部３廻りに回転自在として配設され時刻が表示された時刻目盛り40を前面41に有する時刻表示環状部材４と、環状部材４廻りに一体に回転自在として時刻目盛り40に表示された一定時間ピッチで配設されると共に後方・前方に移動自在に切換えられてコンセント差込孔30への通電がＯＮ・ＯＦＦ状態となる時刻を設定する多数のＯＮ−ＯＦＦ設定操作片５と、を備える。また、円盤部３と環状部材４とＯＦＦ状態の操作片５が同一面状となるように形成される。【選択図】  図５
0003124696.tif 000002
【実用新案登録請求の範囲】
【請求項１】
ケーシング（１）の後面（10）に差込プラグ（11）を有し、かつ、該ケーシング（１）の前面（12）側に、通電する時刻を制御するＯＮ−ＯＦＦ時刻制御部材（２）が配設されたタイマー付きコンセントであって、
該ＯＮ−ＯＦＦ時刻制御部材（２）は、コンセント差込孔（30）を有する円盤部（３）と、該円盤部（３）廻りに回転自在として配設され時刻が表示された時刻目盛り（40）を前面（41）に有する時刻表示環状部材（４）と、該時刻表示環状部材（４）廻りに一体に回転自在として上記時刻目盛り（40）に表示された一定時間ピッチで配設されると共に後方・前方に移動自在に切換えられて上記コンセント差込孔（30）への通電がＯＮ・ＯＦＦ状態となる時刻を設定する多数のＯＮ−ＯＦＦ設定操作片（５）と、を備え、
上記円盤部（３）と、上記時刻表示環状部材（４）と、ＯＦＦ状態の上記操作片（５）が同一面状となるように形成されたことを特徴とするタイマー付きコンセント。
【請求項２】
ケーシング（１）の後面（10）に差込プラグ（11）を有し、かつ、該ケーシング（１）の前面（12）側に、通電する時刻を制御するＯＮ−ＯＦＦ時刻制御部材（２）が配設されたタイマー付きコンセントであって、
該ＯＮ−ＯＦＦ時刻制御部材（２）は、コンセント差込孔（30）を有する円盤部（３）と、該円盤部（３）廻りに回転自在として配設され時刻が表示された時刻目盛り（40）を前面（41）に有する時刻表示環状部材（４）と、該時刻表示環状部材（４）廻りに一体に回転自在として上記時刻目盛り（40）に表示された一定時間ピッチで配設されると共に後方・前方に移動自在に切換えられて上記コンセント差込孔（30）への通電がＯＮ・ＯＦＦ状態となる時刻を設定する多数のＯＮ−ＯＦＦ設定操作片（５）と、を備え、
上記円盤部（３）と、上記時刻表示環状部材（４）と、ＯＦＦ状態の上記操作片（５）が同一面状となるように形成され、
かつ、上記差込プラグ（11）が、上記ケーシング（１）の後面（10）に中心から外れて偏在されていることを特徴とするタイマー付きコンセント。
【請求項３】
ケーシング（１）の後面（10）に差込プラグ（11）を有し、かつ、該ケーシング（１）の前面（12）側に、通電する時刻を制御するＯＮ−ＯＦＦ時刻制御部材（２）が配設されたタイマー付きコンセントであって、
該ＯＮ−ＯＦＦ時刻制御部材（２）は、コンセント差込孔（30）を有する円盤部（３）と、該円盤部（３）廻りに回転自在として配設され時刻が表示された時刻目盛り（40）を前面（41）に有する時刻表示環状部材（４）と、該時刻表示環状部材（４）廻りに一体に回転自在として上記時刻目盛り（40）に表示された一定時間ピッチで配設されると共に後方・前方に移動自在に切換えられて上記コンセント差込孔（30）への通電がＯＮ・ＯＦＦ状態となる時刻を設定する多数のＯＮ−ＯＦＦ設定操作片（５）と、を備え、
上記円盤部（３）と、上記時刻表示環状部材（４）と、ＯＦＦ状態の上記操作片（５）が同一面状となるように形成され、
かつ、上記ケーシング（１）の前面（12）側に、円形凹窪部（６）を設けて、該凹窪部（６）内に上記ＯＮ−ＯＦＦ時刻制御部材（２）を嵌め込み、かつ、該凹窪部（６）を包囲する周縁部（13）は、前方へ縮径するテーパ状に勾配面（14）にて形成されたことを特徴とするタイマー付きコンセント。
【請求項４】
前方へ縮径するテーパ状の上記周縁部（13）の上記勾配面（14）によって形成される仮想略円錐形（７）の内部に、上記ＯＮ−ＯＦＦ時刻制御部材（２）の外周端縁（２ａ）が存在するように、設定されている請求項３記載のタイマー付きコンセント。
【請求項５】
ケーシング（１）の後面（10）に差込プラグ（11）を有し、かつ、該ケーシング（１）の前面（12）側に、通電する時刻を制御するＯＮ−ＯＦＦ時刻制御部材（２）が配設されたタイマー付きコンセントであって、
該ＯＮ−ＯＦＦ時刻制御部材（２）は、コンセント差込孔（30）を有する円盤部（３）と、該円盤部（３）廻りに回転自在として配設され時刻が表示された時刻目盛り（40）を前面（41）に有する時刻表示環状部材（４）と、該時刻表示環状部材（４）廻りに一体に回転自在として上記時刻目盛り（40）に表示された一定時間ピッチで配設されると共に後方・前方に移動自在に切換えられて上記コンセント差込孔（30）への通電がＯＮ・ＯＦＦ状態となる時刻を設定する多数のＯＮ−ＯＦＦ設定操作片（５）と、を備え、
上記円盤部（３）と、上記時刻表示環状部材（４）と、ＯＦＦ状態の上記操作片（５）が同一面状となるように形成され、
かつ、上記円盤部（３）に、上記差込プラグ（11）への通電状態で点灯する通電ランプ（15）を有することを特徴とするタイマー付きコンセント。
【請求項６】
ケーシング（１）の後面（10）に差込プラグ（11）を有し、かつ、該ケーシング（１）の前面（12）側に、通電する時刻を制御するＯＮ−ＯＦＦ時刻制御部材（２）が配設されたタイマー付きコンセントであって、
該ＯＮ−ＯＦＦ時刻制御部材（２）は、コンセント差込孔（30）を有する円盤部（３）と、該円盤部（３）廻りに回転自在として配設され時刻が表示された時刻目盛り（40）を前面（41）に有する時刻表示環状部材（４）と、該時刻表示環状部材（４）廻りに一体に回転自在として上記時刻目盛り（40）に表示された一定時間ピッチで配設されると共に後方・前方に移動自在に切換えられて上記コンセント差込孔（30）への通電がＯＮ・ＯＦＦ状態となる時刻を設定する多数のＯＮ−ＯＦＦ設定操作片（５）と、を備え、
上記円盤部（３）と、上記時刻表示環状部材（４）と、ＯＦＦ状態の上記操作片（５）が同一面状となるように形成され、
かつ、多数の上記ＯＮ−ＯＦＦ設定操作片（５）を、上記時刻目盛り（40）の１時間毎に色違いに形成したことを特徴とするタイマー付きコンセント。
【考案の詳細な説明】
【技術分野】
【０００１】
本考案は、タイマー付きコンセントに関するものである。
【背景技術】
【０００２】
従来のタイマー付きコンセントは、ケーシングの後面に、壁面コンセント等に差込む差込プラグを有し、かつ、ケーシングの前面に、コンセント差込孔とタイマー設定用の表示円盤が配設され、そして、この表示円盤には24時間の時刻目盛りが円周方向に刻まれ、かつ、表示円盤の周囲に、ＯＮ時刻設定用のつまみ片とＯＦＦ時刻設定用のつまみ片が２つずつ周方向に移動可能に配設されており、両つまみ片を時刻目盛りの所望の時刻に合わせることで、コンセント差込孔への通電が所望の時刻に自動的にＯＮ・ＯＦＦになるものが知られている。
【考案の開示】
【考案が解決しようとする課題】
【０００３】
この従来のタイマー付きコンセントは、ＯＮとＯＦＦ時刻設定用のつまみ片が、２つずつしかないので、一日のうちで、ＯＮとＯＦＦとに最高２回までしか切換えることができない。よって、電気器具を、一日のうちでＯＮ状態とＯＦＦ状態に複数回切り換えたくても、そのように設定することができない。
また、一定の横幅を有するつまみ片同士が同じルートの周方向を回転するように構成されているので、ＯＮ状態からＯＦＦ状態への間隔を、最低でも約１時間以上にしか設定できず、例えば、15分単位でのＯＮとＯＦＦの切換を行うことができない。よって、電気器具への通電ＯＮとＯＦＦとを短時間毎に切り換えたくても、設定することができない。
しかも、両つまみ片が、時刻目盛りを表示した表示円盤よりも前方へ突出しており、真正面からではなく斜め外周方向からは、時刻目盛りがつまみ片によって隠れてしまい、識別しづらいという欠点がある。
そこで、本考案は、一日のうちに何回でも、短い時間単位で、所望の時刻に合わせて通電状態をＯＮとＯＦＦとに設定することができるタイマー付きコンセントを提供することを目的とする。
また、指にて容易かつ確実に設定時刻を合わすことができるタイマー付きコンセントを提供することを他の目的とする。
【課題を解決するための手段】
【０００４】
上記の目的を達成するために、本考案に係るタイマー付きコンセントは、ケーシングの後面に差込プラグを有し、かつ、該ケーシングの前面側に、通電する時刻を制御するＯＮ−ＯＦＦ時刻制御部材が配設されたタイマー付きコンセントであって、該ＯＮ−ＯＦＦ時刻制御部材は、コンセント差込孔を有する円盤部と、該円盤部廻りに回転自在として配設され時刻が表示された時刻目盛りを前面に有する時刻表示環状部材と、該時刻表示環状部材廻りに一体に回転自在として上記時刻目盛りに表示された一定時間ピッチで配設されると共に後方・前方に移動自在に切換えられて上記コンセント差込孔への通電がＯＮ・ＯＦＦ状態となる時刻を設定する多数のＯＮ−ＯＦＦ設定操作片と、を備え、上記円盤部と、上記時刻表示環状部材と、ＯＦＦ状態の上記操作片が同一面状となるように形成されたものである。
【０００５】
また、本考案に係るタイマー付きコンセントは、ケーシングの後面に差込プラグを有し、かつ、該ケーシングの前面側に、通電する時刻を制御するＯＮ−ＯＦＦ時刻制御部材が配設されたタイマー付きコンセントであって、該ＯＮ−ＯＦＦ時刻制御部材は、コンセント差込孔を有する円盤部と、該円盤部廻りに回転自在として配設され時刻が表示された時刻目盛りを前面に有する時刻表示環状部材と、該時刻表示環状部材廻りに一体に回転自在として上記時刻目盛りに表示された一定時間ピッチで配設されると共に後方・前方に移動自在に切換えられて上記コンセント差込孔への通電がＯＮ・ＯＦＦ状態となる時刻を設定する多数のＯＮ−ＯＦＦ設定操作片と、を備え、上記円盤部と、上記時刻表示環状部材と、ＯＦＦ状態の上記操作片が同一面状となるように形成され、かつ、上記差込プラグが、上記ケーシングの後面に中心から外れて偏在されているものである。
【０００６】
また、本考案に係るタイマー付きコンセントは、ケーシングの後面に差込プラグを有し、かつ、該ケーシングの前面側に、通電する時刻を制御するＯＮ−ＯＦＦ時刻制御部材が配設されたタイマー付きコンセントであって、該ＯＮ−ＯＦＦ時刻制御部材は、コンセント差込孔を有する円盤部と、該円盤部廻りに回転自在として配設され時刻が表示された時刻目盛りを前面に有する時刻表示環状部材と、該時刻表示環状部材廻りに一体に回転自在として上記時刻目盛りに表示された一定時間ピッチで配設されると共に後方・前方に移動自在に切換えられて上記コンセント差込孔への通電がＯＮ・ＯＦＦ状態となる時刻を設定する多数のＯＮ−ＯＦＦ設定操作片と、を備え、上記円盤部と、上記時刻表示環状部材と、ＯＦＦ状態の上記操作片が同一面状となるように形成され、かつ、上記ケーシングの前面側に、円形凹窪部を設けて、該凹窪部内に上記ＯＮ−ＯＦＦ時刻制御部材を嵌め込み、かつ、該凹窪部を包囲する周縁部は、前方へ縮径するテーパ状に勾配面にて形成されたものである。
また、前方へ縮径するテーパ状の上記周縁部の上記勾配面によって形成される仮想略円錐形の内部に、上記ＯＮ−ＯＦＦ時刻制御部材の外周端縁が存在するように、設定されている。
【０００７】
また、本考案に係るタイマー付きコンセントは、ケーシングの後面に差込プラグを有し、かつ、該ケーシングの前面側に、通電する時刻を制御するＯＮ−ＯＦＦ時刻制御部材が配設されたタイマー付きコンセントであって、該ＯＮ−ＯＦＦ時刻制御部材は、コンセント差込孔を有する円盤部と、該円盤部廻りに回転自在として配設され時刻が表示された時刻目盛りを前面に有する時刻表示環状部材と、該時刻表示環状部材廻りに一体に回転自在として上記時刻目盛りに表示された一定時間ピッチで配設されると共に後方・前方に移動自在に切換えられて上記コンセント差込孔への通電がＯＮ・ＯＦＦ状態となる時刻を設定する多数のＯＮ−ＯＦＦ設定操作片と、を備え、上記円盤部と、上記時刻表示環状部材と、ＯＦＦ状態の上記操作片が同一面状となるように形成され、かつ、上記円盤部に、上記差込プラグへの通電状態で点灯する通電ランプを有する。
【０００８】
また、本考案に係るタイマー付きコンセントは、ケーシングの後面に差込プラグを有し、かつ、該ケーシングの前面側に、通電する時刻を制御するＯＮ−ＯＦＦ時刻制御部材が配設されたタイマー付きコンセントであって、該ＯＮ−ＯＦＦ時刻制御部材は、コンセント差込孔を有する円盤部と、該円盤部廻りに回転自在として配設され時刻が表示された時刻目盛りを前面に有する時刻表示環状部材と、該時刻表示環状部材廻りに一体に回転自在として上記時刻目盛りに表示された一定時間ピッチで配設されると共に後方・前方に移動自在に切換えられて上記コンセント差込孔への通電がＯＮ・ＯＦＦ状態となる時刻を設定する多数のＯＮ−ＯＦＦ設定操作片と、を備え、上記円盤部と、上記時刻表示環状部材と、ＯＦＦ状態の上記操作片が同一面状となるように形成され、かつ、多数の上記ＯＮ−ＯＦＦ設定操作片を、上記時刻目盛りの１時間毎に色違いに形成したものである。
【考案の効果】
【０００９】
本考案は、次のような著大な効果を奏する。
本考案に係るタイマー付きコンセントは、ケーシングの前面側に設けられた通電する時刻を制御するＯＮ−ＯＦＦ時刻制御部材が、コンセント差込孔を有する円盤部と、円盤部廻りに回転自在として配設され時刻が表示された時刻目盛りを前面に有する時刻表示環状部材と、時刻表示環状部材廻りに一体に回転自在として時刻目盛りに表示された一定時間ピッチで配設されると共に後方・前方に移動自在に切換えられてコンセント差込孔への通電がＯＮ・ＯＦＦ状態となる時刻を設定するＯＮ−ＯＦＦ設定操作片と、を備えるので、所望の時刻の操作片を押すだけで、容易に、ＯＮとＯＦＦの時間のタイマー設定をすることができる。しかも、多数の操作片があるので、一日のうちで何回も、コンセント差込孔への通電をＯＮとＯＦＦに切換えることができ、電気器具を接続しておけば、所望の時刻に自動的にＯＮにできると共に所望の時刻に自動的にＯＦＦにできるので、節電対策になる。
また、テレビ、照明器具、ラジオ等を接続してタイマー設定をして出掛ければ、留守中に、これらの電気器具を自動的にＯＮとＯＦＦとを繰り返すことができ、夜間でも、日中でも、外部の人間に対し、家の中に人が居るように見せること（在宅偽装）ができるので、空き巣に入られる心配がない。
また、円盤部と、時刻表示環状部材と、ＯＦＦ状態の操作片が同一面状となるように形成されているので、真正面からではなく斜め方向から見ても、円盤部に表示された矢印が、環状部材の時刻目盛りのどの時刻を指すのかを間違いなく識別できるので、環状部材を回転してその時の時刻に間違いなく合わせることができる。かつ、操作片を、時刻目盛りの時刻に対応して間違いなく識別して押すことができるので、ＯＮとＯＦＦの設定時刻を間違えることがない。
【００１０】
また、差込プラグが、ケーシングの後面に中心から外れて偏在されているので、壁面コンセント（差込孔が上下に２つ以上あるもの）の差込孔に差込プラグを差した場合に、壁面コンセントの別の差込孔を塞ぐことがなく、別の差込孔を利用不可となるのを防ぐことができる。
また、ケーシングの前面側の周縁部は、前方へ縮径するテーパ状の勾配面にて形成され、その勾配面によって形成される仮想略円錐形の内部に、ＯＮ−ＯＦＦ時刻制御部材の外周端縁が存在するように、設定されているので、指を勾配面に沿って置いてＯＮ−ＯＦＦ設定操作片を押すことができ、非常に押し易い。しかも、指先が、手前側に移動した状態の操作片の前端縁よりも前方に位置するので、一層スムーズに押すことができる。
また、円盤部に、差込プラグへの通電状態で点灯する通電ランプを設けることで、コンセント差込孔に通電状態であるか否かを一目で認識することができる。
また、操作片を、時刻目盛りの１時間毎に色違いに形成することで、１時間毎に所望の操作片を識別できるので、押し間違いを防止できる。
【考案を実施するための最良の形態】
【００１１】
以下、実施の形態を示す図面に基づき、本考案を詳説する。
図１〜図10は本考案に係るタイマー付きコンセントの実施の一形態を示す。
先ず、図１〜図３に示したように、タイマー付きコンセントは、ケーシング１の後面10に差込プラグ11を有し、かつ、ケーシング１の前面12側に、通電する時刻を制御するＯＮ−ＯＦＦ時刻制御部材２が配設されたものである。
ケーシング１の外周16は、上部16ａと下部16ｂが水平状に形成されると共に、側部16ｃが正面視略円形状を有する。また、ケーシング１の後面10は、平坦に形成され、差込プラグ11が後面10の中心から外れて偏在されている。実施例では差込プラグ11は、後面10の下部に突設されているが、設計変更して、後面10の上部に設けられるのもよい。また、後面10には、50Hzと60Hzとを切換える入力周波数切換スイッチ19が設けられている。そして、ケーシング１の上部16ａには、常時通電状態と、タイマー設定状態とに切り換えるための通電切換スイッチ17が左右切換自在に設けられていて、スイッチ17が左側に切り換えられると常時通電（ＯＮ）状態になり、右側に切り換えられるとタイマー設定状態になる。なお、左右については正面視における左右方向で表すものとする。
また、ケーシング１は、ＯＮ−ＯＦＦ時刻制御部材２を前方から嵌込む円形凹窪部６が、前面12側に設けられる。そして、凹窪部６の中央には、ケーシング１の内部18（図８〜図10参照）とＯＮ−ＯＦＦ時刻制御部材２とを電気的に接続するための挿通窓部が形成されている（図示省略）。
【００１２】
ＯＮ−ＯＦＦ時刻制御部材２は、コンセント差込孔30を有する円盤部３と、円盤部３廻りに回転自在として配設され時刻が表示された時刻目盛り40を前面41に有する時刻表示環状部材４と、時刻表示環状部材４廻りに一体に回転自在として時刻目盛り40に表示された一定時間ピッチで配設されると共に後方・前方に移動自在に切換えられてコンセント差込孔30への通電がＯＮ・ＯＦＦ状態となる時刻を設定する多数のＯＮ−ＯＦＦ設定操作片５…と、を備える。
具体的には、円盤部３は、前面が平面状（平坦面状）であって、前面の中央上部に、時刻表示環状部材４の時刻目盛り40の時刻を指す矢印31が描かれている。この矢印31は、正面視において、後述するスライド杆23の下端と上下にて向き合う位置に描かれている。
また、円盤部３は、透明乃至半透明の小窓が設けられており、差込プラグ11へ通電（ＯＮ）状態で点灯する（ケーシング１内部18に設けられた）通電ランプ15が、小窓を通して前方から見える。通電ランプ15は、コンセント差込孔30に通電状態（常時通電状態、及び、タイマー設定におけるＯＮ状態の両状態）で点灯し、ＯＦＦ状態では消灯して、各状態を示す。
【００１３】
また、時刻表示環状部材４は円環状であって、中央に形成された孔部をもって、円盤部３廻りに回転自在に外嵌される。また、環状部材４の前面41に表示された時刻目盛り40は、一周で24時間を単位時間毎に等間隔で刻んだ目盛りと、単位時間を15分毎に刻む目盛りと、から成る。また、時刻表示環状部材４の外周は、前面41の外周縁から後方へ拡径するテーパ面42が形成され、多数のＯＮ−ＯＦＦ設定操作片５…が周方向に密接状に配設されている。時刻目盛り40の時刻は、反時計回りの方向に順に表示される。
また、環状部材４の後部に形成された平歯車（大歯車）が、ケーシング１の内部18に設けたモータの回転軸に複数のギアを介して設けた小歯車と噛み合っており、スイッチ17をタイマー設定状態に切換えると、環状部材４は24時間で一周期となる回転を開始する。
【００１４】
次に、各ＯＮ−ＯＦＦ設定操作片５は、上記環状部材４の時刻目盛り40の15分単位の目盛り間隔と同じ厚さの薄板形状を有し、図示省略の連結部材にて環状部材４のテーパ面42に前後動自在に連結されている。かつ、各操作片５の内周面は、テーパ面42に沿うように後方へ拡開上に形成され、環状部材４のテーパ面42に沿って隙間無く周方向に並設されている。そして、時刻目盛り40の１時間毎に、４個のＯＮ−ＯＦＦ設定操作片５…が密に配設されるので、環状部材４の外周には、96個（４個×24時間）の操作片５…が配設される。そして、ＯＮ−ＯＦＦ設定操作片５…は、時刻目盛り40の１時間毎の４つの操作片５…毎に色違いに形成されている。例えば、環状部材４の時刻目盛り40の17時から18時に対応する４つの操作片５…を薄い色彩に形成し、かつ、18時から19時に対応する４つの操作片５…を濃い色彩に形成し、19時から20時に対応する４つの操作片５…を薄い色彩に形成する。このように、１時間に対応した４つの操作片５…毎に、薄い色彩と濃い色彩とに相互に色違いに形成されており、１時間毎に操作片５を識別し易く、押し間違いを防止できる。
そして、各操作片５を前方に移動した場合には、操作片５の前縁部と、時刻表示環状部材４の前面41とは同一面状となる。そして、各操作片５を後方へ移動すると、テーパ面42に沿って移動するので、外方へ突出状となる（図４〜図７参照）。
時刻表示環状部材４及び操作片５…は、円盤部３廻りを時計回りの方向へのみ回転させて時刻設定できるように形成されている。
【００１５】
また、図４に於て、ケーシング１の前面12側に設けた凹窪部６を包囲する周縁部13は、前方へ縮径するテーパ状に勾配面14にて形成されている。
そして、前方へ縮径するテーパ状の周縁部13の勾配面14（但し、後述の下部16ｂの角部35，35付近を除く）によって形成される仮想略円錐形７の内部に、ＯＮ−ＯＦＦ時刻制御部材２の外周端縁２ａが存在するように、設定されている。これにより、指を勾配面14に沿って置いた状態で、ＯＮ−ＯＦＦ設定操作片５を押すことができるので、指での操作が容易である。
なお、周縁部13のうち、下部16ｂの左右両端角部35，35付近は、その他の部位よりも前方への縮径するテーパ角度が緩やかに形成されており、両部位における前方への仮想延長線よりも、ＯＮ−ＯＦＦ時刻制御部材２の外周端縁２ａが前方へ突出するが、両部位（角部35）に指を置いて操作片５を押すのを回避すればよく、不都合は生じない。
【００１６】
次に、図８〜図10に示したように、ケーシング１には、コンセント差込孔30への通電をＯＮ・ＯＦＦに切換えるための通電切換手段20が、配設される。通電切換手段20は、ケーシング１の上部16ａ上に左右スライド自在に配設される切換スイッチ17と、切換スイッチ17の下部に一体に形成され略Ｖ字形状を有する受け板部27と、ケーシング１の後壁１ａの前面に固着されプッシュボタン26が（右）側方へ弾発的に突出しボタン26が押し込まれるとコンセント差込孔30への通電がＯＮになるスイッチボックス25と、上記後壁１ａの右寄り位置に突設された軸28に中間部が差込まれ時計回りに揺動して下端22ｂにてプッシュボタン26を押す切換アーム部材22と、切換アーム部材22の上端22ａに前方へ突設され受け板部27の右側の板部上に当接状に配設される略倒立三角柱状のスライド杆23と、を有する。スライド杆23の長さは、後方へ押し下げられたＯＮ−ＯＦＦ設定操作片５…の外周部５ａに対応するように設定される。切換スイッチ17と受け板部27の連結部は、ケーシング１の上部16ａの中央に形成された開口24を通されている。
【００１７】
なお、図示省略するが、ケーシング１の内部18には電気モータが配設され、時刻表示環状部材４が、モータの回転軸に複数のギアを介して接続されて、24時間で一回転させるように構成されており、かつ、切換スイッチ17がタイマー設定状態に切換えられている間中、電気モータが作動し続けるように設定されている。また、切換スイッチ17の切換に関係なく、（後述の）スイッチボックス25のプッシュボタン26がプッシュされている間中、通電ランプ15とコンセント差込孔30の電極とに通電されるように、構成されている。
【００１８】
次に、本考案のタイマー付きコンセントの使用方法及び作用について説明する。
図３，図８は本考案のコンセントを常時通電状態で使用する状態を示す。即ち、壁面コンセントに本考案のコンセントを差込み、切換スイッチ17を左側に切換えて常時通電状態（ＯＮ）にした（図３（ｂ）参照）状態である。このとき、スライド杆23が受け板部27の右側の板部を右上方向へスライドして、切換アーム部材22が軸28廻りで時計回りに揺動するので、切換アーム部材22の下端22ｂがスイッチボックス25のプッシュボタン26を押す（図８参照）。従って、コンセント差込孔30へ通電状態となる。このとき、通電ランプ15が点灯する（図３参照）。この常時通電状態では、環状部材４及び操作片５…は回転せず停止した状態である。
【００１９】
次に、タイマー設定して使用する場合について説明する。
先ず、図４，図５に示したように、一日（24時間）の中で、コンセント差込孔30への通電をＯＮにしたい時間帯の時刻目盛り40に対応するＯＮ−ＯＦＦ設定操作片５を後方へ押す。ＯＦＦの時間帯に対応する操作片５…は、前方に移動したままの状態である。そして、環状部材４及び操作片５…を、円盤部３廻りに回転させて、時刻目盛り40に表示されている実際の時刻を、円盤部３の矢印31に合わせる。実施例では、開始する時刻が15時であり、18時から19時まで連続で通電状態となるように設定したものである。設定した操作片５…は後方へ移動して、外方へ突出している。
そして、図５，図９に於て、切換スイッチ17を右側にスライドさせてタイマー設定に切換えると、スライド杆23が受け板部27を左下方向へスライドして、切換アーム部材22が軸28廻りで反時計回りに揺動し、プッシュボタン26のプッシュ状態が開放されて通電がＯＦＦになる。かつ、切換と同時に、環状部材４及び全操作片５…が、時計回りに（24時間周期で）回転を開始する。
【００２０】
そして、図６に示したように、現実に設定時刻（18時）になると、押し下げた操作片５の外周部５ａの（時計回り）先端が、スライド杆23（の反時計回り側の面）に当接して押し上げて、図７，図10に示したように、切換アーム部材22が図９の状態から揺動して図10の状態へなり、スイッチボックス25のプッシュボタン26が押されて、自動的に、コンセント差込孔30が通電状態となる。そして、同時に、通電ランプ15が点灯する。スライド杆23は倒立略三角柱形状なので、操作片５の外周部５ａの先端側に当接してスムーズに押し上げられる。そして、設定中（18時から19時まで）、ＯＮ状態が持続する。
そして、設定時刻（19時）を経過すると、スライド杆23は、操作片５による押上状態から開放されて、切換アーム部材22は反時計回りに揺動して図９の状態となり、自動的に通電がＯＦＦになる。
【００２１】
本考案のタイマー付きコンセントによれば、最短15分間単位で、所望の時刻に通電をＯＮにし、所望の時刻にＯＦＦに切換えることができ、しかも、一日のうちに何回でも切換を繰り返すことができる。
よって、本考案のコンセントの差込孔30に、扇風機や電気ポットや暖房便座等の家庭電気機器や照明器具等のプラグを差込んで、タイマー設定をしておけば、一日のうちの所望の時間に、自動的にＯＮにしたり、ＯＦＦにすることができ、節電対策になる。
また、テレビ、照明器具、ラジオ等を接続してタイマー設定をして出掛ければ、留守中に、これらの電気器具を自動的にＯＮとＯＦＦとを繰り返すことができ、夜間でも、日中でも、外部の人間に対し、家の中に人が居るように見せること（在宅偽装）ができるので、空き巣に入られる心配がない。
また、切換スイッチ17を図３のように、容易にＯＮに切換えて、常時通電状態のコンセントとしても使用できる。そして、通電状態では通電ランプ15が点灯するので、一目で通電状態か否かを見分けられる。
また、図３，図５，図７に示したように、差込プラグ11が、ケーシング１の後面10に中心から外れて偏在されているので、本考案のコンセントが、図１と図３に示すような壁面コンセント36（差込孔が上下に２つ以上あるもの）の差込孔に差込プラグ11が差された状態では、壁面コンセントの別の差込孔を塞ぐことがない。これに対し、差込プラグ11がケーシング１の後面10の中央に配設されていれば、壁面コンセントの一の差込孔に差し込んだ場合に、別の差込孔を塞いでしまい利用できなくなる。
また、本考案のコンセントは、円盤部３と、環状部材４と、ＯＦＦ状態の操作片５が同一面状となるように形成されているので、全体の厚さが薄くなり、コンパクトな形状にできる。
【００２２】
以上のように、本考案に係るタイマー付きコンセントは、ケーシング１の後面10に差込プラグ11を有し、かつ、ケーシング１の前面12側に、通電する時刻を制御するＯＮ−ＯＦＦ時刻制御部材２が配設されたタイマー付きコンセントであって、ＯＮ−ＯＦＦ時刻制御部材２は、コンセント差込孔30を有する円盤部３と、円盤部３廻りに回転自在として配設され時刻が表示された時刻目盛り40を前面41に有する時刻表示環状部材４と、時刻表示環状部材４廻りに一体に回転自在として時刻目盛り40に表示された一定時間ピッチで配設されると共に後方・前方に移動自在に切換えられてコンセント差込孔30への通電がＯＮ・ＯＦＦ状態となる時刻を設定する多数のＯＮ−ＯＦＦ設定操作片５と、を備え、円盤部３と、時刻表示環状部材４と、ＯＦＦ状態の操作片５が同一面状となるように形成されているので、所望の時刻の操作片５…を押すだけで、容易に、ＯＮとＯＦＦの時間のタイマー設定を行うことができる。しかも、多数の操作片５…があるので、一日のうちで何回も、コンセント差込孔30への通電をＯＮとＯＦＦに切換えることができ、電気器具を接続しておけば、所望の時刻に自動的にＯＮにできると共に所望の時刻に自動的にＯＦＦにできるので、節電対策になる。
また、テレビ、照明器具、ラジオ等を接続してタイマー設定をして出掛ければ、留守中に、これらの電気器具を自動的にＯＮとＯＦＦとを繰り返すことができ、夜間でも、日中でも、外部の人間に対し、家の中に人が居るように見せること（在宅偽装）ができるので、空き巣に入られる心配がない。
また、円盤部３・時刻表示環状部材４・操作片５を、真正面からではなく斜め方向から見ても、円盤部３に表示された矢印31が、環状部材４の時刻目盛り40のどの時刻を指すのかを間違いなく識別できるので、環状部材４を回転してその時の時刻に間違いなく合わせることができる。かつ、操作片５を、時刻目盛り40の時刻に対応して間違いなく識別して押すことができるので、ＯＮとＯＦＦの設定時刻を間違えることがない。
【００２３】
また、本考案に係るタイマー付きコンセントは、ケーシング１の後面10に差込プラグ11を有し、かつ、ケーシング１の前面12側に、通電する時刻を制御するＯＮ−ＯＦＦ時刻制御部材２が配設されたタイマー付きコンセントであって、ＯＮ−ＯＦＦ時刻制御部材２は、コンセント差込孔30を有する円盤部３と、円盤部３廻りに回転自在として配設され時刻が表示された時刻目盛り40を前面41に有する時刻表示環状部材４と、時刻表示環状部材４廻りに一体に回転自在として時刻目盛り40に表示された一定時間ピッチで配設されると共に後方・前方に移動自在に切換えられてコンセント差込孔30への通電がＯＮ・ＯＦＦ状態となる時刻を設定する多数のＯＮ−ＯＦＦ設定操作片５と、を備え、円盤部３と、時刻表示環状部材４と、ＯＦＦ状態の操作片５が同一面状となるように形成され、かつ、差込プラグ11が、ケーシング１の後面10に中心から外れて偏在されているので、所望の時刻の操作片５…を押すだけで、容易に、ＯＮとＯＦＦの時間のタイマー設定を行うことができる。しかも、多数の操作片５…があるので、一日のうちで何回も、コンセント差込孔30への通電をＯＮとＯＦＦに切換えることができ、電気器具を接続しておけば、所望の時刻に自動的にＯＮにできると共に所望の時刻に自動的にＯＦＦにできて、節電対策になる。
また、テレビ、照明器具、ラジオ等を接続してタイマー設定をして出掛ければ、留守中に、これらの電気器具を自動的にＯＮとＯＦＦとを繰り返すことができ、夜間でも、日中でも、外部の人間に対し、家の中に人が居るように見せること（在宅偽装）ができるので、空き巣に入られる心配がない。
また、円盤部３・時刻表示環状部材４・操作片５を、真正面からではなく斜め方向から見ても、円盤部３に表示された矢印31が、環状部材４の時刻目盛り40のどの時刻を指すのかを間違いなく識別できるので、環状部材４を回転してその時の時刻に間違いなく合わせることができる。かつ、操作片５を、時刻目盛り40の時刻に対応して間違いなく識別して押すことができるので、ＯＮとＯＦＦの設定時刻を間違えることがない。
また、壁面コンセント36（差込孔が上下に２つ以上あるもの）の差込孔に差込プラグ11を差した場合に、壁面コンセント36の別の差込孔を塞ぐことがなく、別の差込孔を利用不可となるのを防ぐことができる。
【００２４】
また、本考案に係るタイマー付きコンセントは、ケーシング１の後面10に差込プラグ11を有し、かつ、ケーシング１の前面12側に、通電する時刻を制御するＯＮ−ＯＦＦ時刻制御部材２が配設されたタイマー付きコンセントであって、ＯＮ−ＯＦＦ時刻制御部材２は、コンセント差込孔30を有する円盤部３と、円盤部３廻りに回転自在として配設され時刻が表示された時刻目盛り40を前面41に有する時刻表示環状部材４と、時刻表示環状部材４廻りに一体に回転自在として時刻目盛り40に表示された一定時間ピッチで配設されると共に後方・前方に移動自在に切換えられてコンセント差込孔30への通電がＯＮ・ＯＦＦ状態となる時刻を設定する多数のＯＮ−ＯＦＦ設定操作片５と、を備え、円盤部３と、時刻表示環状部材４と、ＯＦＦ状態の操作片５が同一面状となるように形成され、かつ、ケーシング１の前面12側に、円形凹窪部６を設けて、凹窪部６内にＯＮ−ＯＦＦ時刻制御部材２を嵌め込み、かつ、凹窪部６を包囲する周縁部13は、前方へ縮径するテーパ状に勾配面14にて形成されているので、所望の時刻の操作片５…を押すだけで、容易に、ＯＮとＯＦＦの時間のタイマー設定を行うことができる。しかも、多数の操作片５…があるので、一日のうちで何回も、コンセント差込孔30への通電をＯＮとＯＦＦに切換えることができ、電気器具を接続しておけば、所望の時刻に自動的にＯＮにできると共に所望の時刻に自動的にＯＦＦにできるので、節電対策になる。
また、テレビ、照明器具、ラジオ等を接続してタイマー設定をして出掛ければ、留守中に、これらの電気器具を自動的にＯＮとＯＦＦとを繰り返すことができ、夜間でも、日中でも、外部の人間に対し、家の中に人が居るように見せること（在宅偽装）ができるので、空き巣に入られる心配がない。
また、円盤部３・時刻表示環状部材４・操作片５を、真正面からではなく斜め方向から見ても、円盤部３に表示された矢印31が、環状部材４の時刻目盛り40のどの時刻を指すのかを間違いなく識別できるので、環状部材４を回転してその時の時刻に間違いなく合わせることができる。かつ、操作片５を、時刻目盛り40の時刻に対応して間違いなく識別して押すことができるので、ＯＮとＯＦＦの設定時刻を間違えることがない。
また、指を勾配面14に沿って置いてＯＮ−ＯＦＦ設定操作片５を押すことができ、非常に押し易い。
【００２５】
また、前方へ縮径するテーパ状の周縁部13の勾配面14によって形成される仮想略円錐形７の内部に、ＯＮ−ＯＦＦ時刻制御部材２の外周端縁２ａが存在するように、設定されているので、指を勾配面14に沿って置いてＯＮ−ＯＦＦ設定操作片５を押すことができ、非常に押し易い。しかも、指先が、手前側に移動した状態の操作片５の前端縁よりも前方に位置するので、一層スムーズに押すことができる。
【００２６】
また、本考案に係るタイマー付きコンセントは、ケーシング１の後面10に差込プラグ11を有し、かつ、ケーシング１の前面12側に、通電する時刻を制御するＯＮ−ＯＦＦ時刻制御部材２が配設されたタイマー付きコンセントであって、ＯＮ−ＯＦＦ時刻制御部材２は、コンセント差込孔30を有する円盤部３と、円盤部３廻りに回転自在として配設され時刻が表示された時刻目盛り40を前面41に有する時刻表示環状部材４と、時刻表示環状部材４廻りに一体に回転自在として時刻目盛り40に表示された一定時間ピッチで配設されると共に後方・前方に移動自在に切換えられてコンセント差込孔30への通電がＯＮ・ＯＦＦ状態となる時刻を設定する多数のＯＮ−ＯＦＦ設定操作片５と、を備え、円盤部３と、時刻表示環状部材４と、ＯＦＦ状態の操作片５が同一面状となるように形成され、かつ、円盤部３に、差込プラグ11への通電状態で点灯する通電ランプ15を有するので、所望の時刻の操作片５…を押すだけで、容易に、ＯＮとＯＦＦの時間のタイマー設定を行うことができる。しかも、多数の操作片５…があるので、一日のうちで何回も、コンセント差込孔30への通電をＯＮとＯＦＦに切換えることができ、電気器具を接続しておけば、所望の時刻に自動的にＯＮにできると共に所望の時刻に自動的にＯＦＦにできて、節電対策になる。
また、テレビ、照明器具、ラジオ等を接続してタイマー設定をして出掛ければ、留守中に、これらの電気器具を自動的にＯＮとＯＦＦとを繰り返すことができ、夜間でも、日中でも、外部の人間に対し、家の中に人が居るように見せること（在宅偽装）ができるので、空き巣に入られる心配がない。
また、円盤部３・時刻表示環状部材４・操作片５を、真正面からではなく斜め方向から見ても、円盤部３に表示された矢印31が、環状部材４の時刻目盛り40のどの時刻を指すのかを間違いなく識別できるので、環状部材４を回転してその時の時刻に間違いなく合わせることができる。かつ、操作片５を、時刻目盛り40の時刻に対応して間違いなく識別して押すことができるので、ＯＮとＯＦＦの設定時刻を間違えることがない。
また、コンセント差込孔30に通電状態であるか否かを通電ランプ15によって一目で認識することができる。
【００２７】
また、本考案に係るタイマー付きコンセントは、ケーシング１の後面10に差込プラグ11を有し、かつ、ケーシング１の前面12側に、通電する時刻を制御するＯＮ−ＯＦＦ時刻制御部材２が配設されたタイマー付きコンセントであって、ＯＮ−ＯＦＦ時刻制御部材２は、コンセント差込孔30を有する円盤部３と、円盤部３廻りに回転自在として配設され時刻が表示された時刻目盛り40を前面41に有する時刻表示環状部材４と、時刻表示環状部材４廻りに一体に回転自在として時刻目盛り40に表示された一定時間ピッチで配設されると共に後方・前方に移動自在に切換えられてコンセント差込孔30への通電がＯＮ・ＯＦＦ状態となる時刻を設定する多数のＯＮ−ＯＦＦ設定操作片５と、を備え、円盤部３と、時刻表示環状部材４と、ＯＦＦ状態の操作片５が同一面状となるように形成され、かつ、多数のＯＮ−ＯＦＦ設定操作片５を、時刻目盛り40の１時間毎に色違いに形成しているので、所望の時刻の操作片５…を押すだけで、容易に、ＯＮとＯＦＦの時間のタイマー設定を行うことができる。しかも、多数の操作片５…があるので、一日のうちで何回も、コンセント差込孔30への通電をＯＮとＯＦＦに切換えることができ、電気器具を接続しておけば、所望の時刻に自動的にＯＮにできると共に所望の時刻に自動的にＯＦＦにできるので、節電対策になる。
また、テレビ、照明器具、ラジオ等を接続してタイマー設定をして出掛ければ、留守中に、これらの電気器具を自動的にＯＮとＯＦＦとを繰り返すことができ、夜間でも、日中でも、外部の人間に対し、家の中に人が居るように見せること（在宅偽装）ができるので、空き巣に入られる心配がない。
また、円盤部３・時刻表示環状部材４・操作片５を、真正面からではなく斜め方向から見ても、円盤部３に表示された矢印31が、環状部材４の時刻目盛り40のどの時刻を指すのかを間違いなく識別できるので、環状部材４を回転してその時の時刻に間違いなく合わせることができる。かつ、操作片５を、時刻目盛り40の時刻に対応して間違いなく識別して押すことができるので、ＯＮとＯＦＦの設定時刻を間違えることがない。
また、１時間毎に所望の操作片５を識別できるので、押し間違いを防止できる。
【図面の簡単な説明】
【００２８】
【図１】本考案に係るタイマー付きコンセントの実施の一形態を示す斜視図である。
【図２】斜視図である。
【図３】使用状態を示す説明図であって、（ａ）は正面説明図で、（ｂ）は要部平面説明図である。
【図４】説明用平面図である。
【図５】正面図である。
【図６】要部正面図である。
【図７】正面図である。
【図８】作動説明用正面図である。
【図９】作動説明用正面図である。
【図１０】作動説明用正面図である。
【符号の説明】
【００２９】
１  ケーシング
２  ＯＮ−ＯＦＦ時刻制御部材
２ａ  外周端縁
３  円盤部
４  時刻表示環状部材
５  ＯＮ−ＯＦＦ設定操作片
６  凹窪部
７  仮想略円錐形
10  後面
11  差込プラグ
12  前面
13  周縁部
14  勾配面
15  通電ランプ
30  コンセント差込孔
40  時刻目盛り
41  前面
【図１】
0003124696.tif 000003
【図２】
0003124696.tif 000004
【図３】
0003124696.tif 000005
【図４】
0003124696.tif 000006
【図５】
0003124696.tif 000007
【図６】
0003124696.tif 000008
【図７】
0003124696.tif 000009
【図８】
0003124696.tif 000010
【図９】
0003124696.tif 000011
【図１０】
0003124696.tif 000012